(57)【特許請求の範囲】
【請求項１】
情報処理装置と、該情報処理装置と回線交換方式で通信可能に接続される携帯電話機と、該情報処理装置および該携帯電話機と通信可能に接続され、当該携帯電話機の利用者に対してサービスを提供しうるサービス提供部とをそなえ、該情報処理装置において前記携帯電話機の利用者の認証を行なう認証システムであって、
該携帯電話機が、
該利用者の生体情報を取得しうる生体情報取得部と、
電話回線を介して該情報処理装置に接続され、該利用者の接続パスワードを入力する入力部とをそなえ、
該情報処理装置が、
該利用者を特定するための認証用データを予め記憶する認証用データ記憶部と、
該利用者の電話番号と該接続パスワードとを該利用者毎に対応付けて予め記憶する利用者情報記憶部と、
該電話回線を通じて該携帯電話機から該利用者の電話番号を取得する電話番号取得部と、
該電話番号取得部によって取得した該電話番号と、該利用者情報記憶部に記憶された電話番号とが一致するか否かを判断する電話番号判断部と、
該入力部によって入力され該携帯電話機から送信されてきた該接続パスワードと、該利用者情報記憶部に記憶された該接続パスワードとが一致するか否かを判断する接続パスワード判断部と、
該電話番号判断部により一致すると判断され、且つ、該接続パスワード判断部により一致すると判断された場合に、該生体情報取得部により取得され該携帯電話機から送信されてきた該生体情報を、該認証用データとして該認証用データ記憶部に記憶させる制御部と、
該生体情報取得部により取得され該携帯電話機から送信されてきた該生体情報を分析する分析部と、
該認証用データ記憶部に記憶された該認証用データと該分析部による分析結果とに基づいて該利用者を認証する認証部と、
該認証部によって認証された該利用者に対して認証情報を付与する認証情報付与部と、
該認証情報付与部によって付与された該認証情報を音声通信により該携帯電話機に通知する通知部とをそなえ、
該利用者が該サービス提供部によって提供される該サービスを該携帯電話機を用いて利用する際に、
該携帯電話機が、該通知部から該認証情報を音声通信により受信した後に、当該認証情報を該サービス提供部にデータ通信により通知するとともに、該情報処理装置が、該認証情報付与部により付与された該認証情報を該サービス提供部に通知し、
該サービス提供部が、該携帯電話機から通知された該認証情報と、該情報処理装置から通知された該認証情報とに基づいて該利用者を認証し、当該認証された利用者に対して該携帯電話機を介して該サービスを提供することを特徴とする、認証システム。
【請求項２】
該生体情報が該利用者の音声情報であるとともに、該携帯電話機における音声通信用マイクロフォンが、該利用者の音声情報を取得する該生体情報取得部として用いられることを特徴とする、請求項１記載の認証システム。
【請求項３】
該認証情報付与部によって付与される該認証情報の有効使用回数が所定回数に制限されることを特徴とする、請求項１または請求項２に記載の認証システム。
【請求項４】
該認証情報付与部によって付与される該認証情報の有効時間が所定期間に制限されることを特徴とする、請求項１〜請求項３のいずれか１項に記載の認証システム。
【請求項５】
情報処理装置と、該情報処理装置と回線交換方式で通信可能に接続される携帯電話機と、該情報処理装置および該携帯電話機と通信可能に接続され、当該携帯電話機の利用者に対してサービスを提供しうるサービス提供部とをそなえ、該情報処理装置において前記携帯電話機の利用者の認証を行なう認証システムであって、
該サービス提供部が金融機関であり、
該携帯電話機が、
該利用者の生体情報を取得しうる生体情報取得部と、
該金融機関における該利用者の口座番号と当該口座番号に対応する口座パスワードとを入力する入力部とをそなえ、
該情報処理装置が、
該利用者を特定するための認証用データを予め記憶する認証用データ記憶部と、
該利用者情報入力部によって入力され該携帯電話機から送信されてきた該口座番号および該口座パスワードに基づいて該利用者の正当性を判断する判断部と、
該判断部により該利用者が正当であると判断された場合に、該生体情報取得部により取得され該携帯電話機から送信されてきた該生体情報を、該認証用データとして該認証用データ記憶部に記憶させる制御部と、
該生体情報取得部により取得され該携帯電話機から送信されてきた該生体情報を分析する分析部と、
該認証用データ記憶部に記憶された該認証用データと該分析部による分析結果とに基づいて該利用者を認証する認証部と、
該認証部によって認証された該利用者に対して認証情報を付与する認証情報付与部と、
該認証情報付与部によって付与された該認証情報を音声通信により該携帯電話機に通知する通知部とをそなえ、
該利用者が該サービス提供部によって提供される該サービスを該携帯電話機を用いて利用する際に、
該携帯電話機が、該通知部から該認証情報を音声通信により受信した後に、当該認証情報を該サービス提供部にデータ通信により通知するとともに、該情報処理装置が、該認証情報付与部により付与された該認証情報を該サービス提供部に通知し、
該サービス提供部が、該携帯電話機から通知された該認証情報と、該情報処理装置から通知された該認証情報とに基づいて該利用者を認証し、当該認証された利用者に対して該携帯電話機を介して該サービスを提供することを特徴とする、認証システム。
【請求項６】
該情報処理装置が、該口座番号と当該口座番号に対応する口座パスワードとを該利用者毎に対応付けて記憶する利用者情報記憶部をそなえ、
該判断部が、該利用者が入力する該口座番号および該口座パスワードが、該利用者情報記憶部に記憶されている該口座番号および該口座パスワードに一致するか否かを判断することによって、該利用者の正当性を判断することを特徴とする、請求項５記載の認証システム。
【請求項７】
利用者の生体情報を取得しうる生体情報取得部をそなえた携帯電話機と回線交換方式で通信可能に接続されるとともに、該携帯電話機と通信可能に接続され、当該携帯電話機の利用者に対してサービスを提供しうるサービス提供部と通信可能に接続され、当該携帯電話機の該利用者の認証を行なう情報処理装置であって、
該利用者を特定するための認証用データを予め記憶する認証用データ記憶部と、
該利用者の電話番号と接続パスワードとを該利用者毎に対応付けて予め記憶する利用者情報記憶部と、
電話回線を通じて該携帯電話機から該利用者の電話番号を取得する電話番号取得部と、
該電話番号取得部によって取得した該電話番号と、該利用者情報記憶部に記憶された電話番号とが一致するか否かを判断する電話番号判断部と、
該携帯電話機から送信されてきた接続パスワードと、該利用者情報記憶部に記憶された該接続パスワードとが一致するか否かを判断する接続パスワード判断部と、
該電話番号判断部により一致すると判断され、且つ、該接続パスワード判断部により一致すると判断された場合に、該生体情報取得部により取得され該携帯電話機から送信されてきた該生体情報を、該認証用データとして該認証用データ記憶部に記憶させる制御部と、
該生体情報取得部により取得され該携帯電話機から送信されてきた該生体情報を分析する分析部と、
該認証用データ記憶部に記憶された該認証用データと該分析部による分析結果とに基づいて該利用者を認証する認証部と、
該認証部によって認証された該利用者に対して認証情報を付与する認証情報付与部と、
該認証情報付与部によって付与された該認証情報を音声通信により該携帯電話機に通知する通知部とをそなえ、
該利用者が、該サービス提供部によって提供される該サービスを該携帯電話機を用いて利用する際に、
該携帯電話機が、該通知部から該認証情報を音声通信により受信した後に、当該認証情報を該サービス提供部にデータ通信により通知するとともに、該情報処理装置が、該認証情報付与部により付与された該認証情報を該サービス提供部に通知し、
該サービス提供部が、該携帯電話機から通知された該認証情報と、該情報処理装置から通知された該認証情報とに基づいて該利用者を認証し、当該認証された利用者に対して該携帯電話機を介して該サービスを提供することを特徴とする、情報処理装置。
【請求項８】
該生体情報が、該携帯電話機における音声通信用マイクロフォンを該生体情報取得部として用いて得られた該利用者の音声情報であることを特徴とする、請求項７記載の情報処理装置。
【請求項９】
該認証情報付与部によって付与される該認証情報の有効使用回数が所定回数に制限されることを特徴とする、請求項７または請求項８に記載の情報処理装置。
【請求項１０】
該認証情報付与部によって付与される該認証情報の有効時間が所定期間に制限されることを特徴とする、請求項７〜請求項９のいずれか１項に記載の情報処理装置。
【請求項１１】
利用者の生体情報を取得しうる生体情報取得部をそなえた携帯電話機と回線交換方式で通信可能に接続されるとともに、該携帯電話機と通信可能に接続され、当該携帯電話機の利用者に対してサービスを提供しうるサービス提供部と通信可能に接続され、当該携帯電話機の該利用者の認証を行なう情報処理装置であって、
該利用者を特定するための認証用データを予め記憶する認証用データ記憶部と、
該携帯電話機から送信されてきた、金融機関における該利用者の口座番号と当該口座番号に対応する口座パスワードとに基づいて該利用者の正当性を判断する判断部と、
該判断部により該利用者が正当であると判断された場合に、該生体情報取得部により取得され該携帯電話機から送信されてきた該生体情報を、該認証用データとして該認証用データ記憶部に記憶させる制御部と、
該生体情報取得部により取得され該携帯電話機から送信されてきた該生体情報を分析する分析部と、
該認証用データ記憶部に記憶された該認証用データと該分析部による分析結果とに基づいて該利用者を認証する認証部と、
該認証部によって認証された該利用者に対して認証情報を付与する認証情報付与部と、
該認証情報付与部によって付与された該認証情報を音声通信により該携帯電話機に通知する通知部とをそなえ、
該利用者が、該サービス提供部によって提供される該サービスを該携帯電話機を用いて利用する際に、
該携帯電話機が、該通知部から該認証情報を音声通信により受信した後に、当該認証情報を該サービス提供部にデータ通信により通知するとともに、該情報処理装置が、該認証情報付与部により付与された該認証情報を該サービス提供部に通知し、
該サービス提供部が、該携帯電話機から通知された該認証情報と、該情報処理装置から通知された該認証情報とに基づいて該利用者を認証し、当該認証された利用者に対して該携帯電話機を介して該サービスを提供することを特徴とする、情報処理装置。
【請求項１２】
該口座番号と当該口座番号に対応する口座パスワードとを該利用者毎に対応付けて記憶する利用者情報記憶部をそなえ、
該判断部が、該利用者が入力する該口座番号および該口座パスワードが、該利用者情報記憶部に記憶されている該口座番号および口座パスワードに一致するか否かを判断することによって、該利用者の正当性を判断することを特徴とする、請求項１１記載の情報処理装置。
【発明の詳細な説明】
【０００１】
【発明の属する技術分野】
本発明は、例えば、携帯電話の利用者の認証に用いて好適な、認証システムおよび情報処理装置に関する。
【０００２】
【従来の技術】
近年では、携帯電話を利用したサービスとして、電話機本来の機能である音声による通話機能の他に、携帯電話をインターネットに接続し、この携帯電話を情報端末として利用することにより、インターネット上で提供されている種々のコンテンツを利用者に利用可能にするデータ通信機能が知られている。
【０００３】
このデータ通信機能により、利用者は、携帯電話を用いてインターネット上に公開されたウェブサイトに接続し、そこで提供されている種々のサービスを利用することができる。
例えば、金融機関が提供するモバイルバンキングサービス（ネットバンキングサービス）において、利用者が自分の口座から他者の口座に現金の振込を行なう場合には、携帯電話のデータ通信機能を用いて、金融機関が管理するサーバに接続し、種々の処理を行なう。
【０００４】
そして、従来のモバイルバンキングにおいては、サーバへの接続に際して、利用者に携帯電話のダイヤルボタン等を用いて口座番号等やパスワードを入力させ、この入力されたパスワードを、予め口座番号に対応させて記憶してあったパスワードと比較することにより、利用者の認証を行ない、この認証された利用者にのみサービスを提供するようになっている。
【０００５】
【発明が解決しようとする課題】
しかしながら、このような従来のモバイルバンキングにおける利用者の認証手法においては、一般に、パスワードとして４桁〜６桁程度の任意の英数字を入力させている。従って、パスワードの解析が比較的容易であり、システムのセキュリティが不十分である。
【０００６】
また、このような利用客を認証によるシステムのセキュリティを向上させるために、利用者の音声を携帯電話の通話機能を用いてサーバに送信し、その音声について声紋分析等を行なうことにより、利用者の認証に利用したいという要求もある。
しかし、従来の携帯電話システムは、通信が終了するまで回線を占有する方式である回線交換方式を採用しているので、データ通信と音声通信（音声通話）とを同時に行なうことができない。
【０００７】
具体的には、モバイルバンキングの利用時、すなわち、データ通信を行なっている間は音声通信（音声通話）を行なうことができず、又、音声通話を行なっている間はデータ通信を行なうことができない。従って、データ通信中には音声認識による利用者の認証を行なうことができないという課題もある。
本発明は、このような課題に鑑み創案されたもので、回線交換方式で接続された携帯電話機においても、データ通信に際して音声を用いた利用者の認証を行なうことができ、セキュリティを向上することができる、認証システムおよび情報処理装置を提供することを目的とする。
【０００８】
【課題を解決するための手段】
このため、本発明の認証システム（請求項１）は、情報処理装置と、この情報処理装置と回線交換方式で通信可能に接続される携帯電話機と、情報処理装置および携帯電話機と通信可能に接続され、この携帯電話機の利用者に対してサービスを提供しうるサービス提供部とをそなえ、情報処理装置において携帯電話機の利用者の認証を行なう認証システムであって、携帯電話機が、利用者の生体情報を取得しうる生体情報取得部と、電話回線を介して情報処理装置に接続され、利用者の接続パスワードを入力する入力部とをそなえ、情報処理装置が、利用者を特定するための認証用データを予め記憶する認証用データ記憶部と、利用者の電話番号と接続パスワードとを利用者毎に対応付けて予め記憶する利用者情報記憶部と、電話回線を通じて携帯電話機から利用者の電話番号を取得する電話番号取得部と、電話番号取得部によって取得した電話番号と、利用者情報記憶部に記憶された電話番号とが一致するか否かを判断する電話番号判断部と、入力部によって入力され携帯電話機から送信されてきた接続パスワードと、利用者情報記憶部に記憶された接続パスワードとが一致するか否かを判断する接続パスワード判断部と、電話番号判断部により一致すると判断され、且つ、接続パスワード判断部により一致すると判断された場合に、生体情報取得部により取得され携帯電話機から送信されてきた生体情報を、認証用データとして認証用データ記憶部に記憶させる制御部と、生体情報取得部により取得され携帯電話機から送信されてきた生体情報を分析する分析部と、認証用データ記憶部に記憶された認証用データと分析部による分析結果とに基づいて利用者を認証する認証部と、この認証部によって認証された利用者に対して認証情報を付与する認証情報付与部と、この認証情報付与部によって付与された認証情報を音声通信により携帯電話機に通知する通知部とをそなえ、利用者がサービス提供部によって提供されるサービスを携帯電話機を用いて利用する際に、携帯電話機が、通知部から認証情報を音声通信により受信した後に、この認証情報をサービス提供部にデータ通信により通知するとともに、情報処理装置が、認証情報付与部により付与された認証情報をサービス提供部に通知し、サービス提供部が、携帯電話機から通知された認証情報と、情報処理装置から通知された認証情報とに基づいて利用者を認証し、この認証された利用者に対して携帯電話機を介してサービスを提供することを特徴としている。
【００１０】
なお、生体情報が利用者の音声情報であるとともに、携帯電話機における音声通信用マイクロフォンが、利用者の音声情報を取得する生体情報取得部として用いられてもよい（請求項２）。
【００１１】
また、認証情報付与部によって付与される認証情報の有効使用回数が所定回数に制限されてもよく（請求項３）、認証情報付与部によって付与される認証情報の有効時間が所定期間に制限されてもよい（請求項４）。
【００１３】
また、本発明の認証システム（請求項５）は、情報処理装置と、この情報処理装置と回線交換方式で通信可能に接続される携帯電話機と、情報処理装置および携帯電話機と通信可能に接続され、この携帯電話機の利用者に対してサービスを提供しうるサービス提供部とをそなえ、情報処理装置において携帯電話機の利用者の認証を行なう認証システムであって、サービス提供部が金融機関であり、携帯電話機が、利用者の生体情報を取得しうる生体情報取得部と、金融機関における利用者の口座番号とこの口座番号に対応する口座パスワードとを入力する入力部とをそなえ、情報処理装置が、利用者を特定するための認証用データを予め記憶する認証用データ記憶部と、入力部によって入力され携帯電話機から送信されてきた口座番号および口座パスワードに基づいて利用者の正当性を判断する判断部と、この判断部により利用者が正当であると判断された場合に、生体情報取得部により取得され携帯電話機から送信されてきた生体情報を、認証用データとして認証用データ記憶部に記憶させる制御部と、生体情報取得部により取得され携帯電話機から送信されてきた生体情報を分析する分析部と、認証用データ記憶部に記憶された認証用データと分析部による分析結果とに基づいて利用者を認証する認証部と、認証部によって認証された利用者に対して認証情報を付与する認証情報付与部と、この認証情報付与部によって付与された認証情報を音声通信により携帯電話機に通知する通知部とをそなえ、利用者がサービス提供部によって提供されるサービスを携帯電話機を用いて利用する際に、携帯電話機が、通知部から認証情報を音声通信により受信した後に、この認証情報をサービス提供部にデータ通信により通知するとともに、情報処理装置が、認証情報付与部により付与された認証情報をサービス提供部に通知し、サービス提供部が、携帯電話機から通知された認証情報と、情報処理装置から通知された認証情報とに基づいて利用者を認証し、この認証された利用者に対して携帯電話機を介してサービスを提供することを特徴としている。
【００１４】
また、情報処理装置が、金融機関における利用者の口座番号とこの口座番号に対応する口座パスワードとを利用者毎に対応付けて記憶する利用者情報記憶部をそなえ、判断部が、利用者が入力する口座番号および口座パスワードが、利用者情報記憶部に記憶されている口座番号および口座パスワードに一致するか否かを判断することによって、利用者の正当性を判断してもよい（請求項６）。
【００１６】
また、本発明の情報処理装置（請求項７）は、利用者の生体情報を取得しうる生体情報取得部をそなえた携帯電話機と回線交換方式で通信可能に接続されるとともに、携帯電話機と通信可能に接続され、この携帯電話機の利用者に対してサービスを提供しうるサービス提供部と通信可能に接続され、この携帯電話機の利用者の認証を行なう情報処理装置であって、利用者を特定するための認証用データを予め記憶する認証用データ記憶部と、利用者の電話番号と接続パスワードとを利用者毎に対応付けて予め記憶する利用者情報記憶部と、電話回線を通じて携帯電話機から利用者の電話番号を取得する電話番号取得部と、電話番号取得部によって取得した電話番号と、利用者情報記憶部に記憶された電話番号とが一致するか否かを判断する電話番号判断部と、携帯電話機から送信されてきた接続パスワードと、利用者情報記憶部に記憶された接続パスワードとが一致するか否かを判断する接続パスワード判断部と、電話番号判断部により一致すると判断され、且つ、接続パスワード判断部により一致すると判断された場合に、生体情報取得部により取得され携帯電話機から送信されてきた生体情報を、認証用データとして認証用データ記憶部に記憶させる制御部と、生体情報取得部により取得され携帯電話機から送信されてきた生体情報を分析する分析部と、認証用データ記憶部に記憶された認証用データと分析部による分析結果とに基づいて利用者を認証する認証部と、この認証部によって認証された利用者に対して認証情報を付与する認証情報付与部と、この認証情報付与部によって付与された認証情報を音声通信により携帯電話機に通知する通知部とをそなえ、利用者が、サービス提供部によって提供されるサービスを携帯電話機を用いて利用する際に、携帯電話機が、通知部から認証情報を音声通信により受信した後に、この認証情報をサービス提供部にデータ通信により通知するとともに、情報処理装置が、認証情報付与部により付与された認証情報をサービス提供部に通知し、サービス提供部が、携帯電話機から通知された認証情報と、情報処理装置から通知された認証情報とに基づいて利用者を認証し、この認証された利用者に対して携帯電話機を介してサービスを提供することを特徴としている。
【００１８】
さらに、生体情報が、携帯電話機における音声通信用マイクロフォンを生体情報取得部として用いて得られた利用者の音声情報であってもよい（請求項８）。
また、認証情報付与部によって付与される認証情報の有効使用回数が所定回数に制限されてもよく（請求項９）、認証情報付与部によって付与される認証情報の有効時間が所定期間に制限されてもよい（請求項１０）。
【００２１】
また、本発明の情報処理装置（請求項１１）は、利用者の生体情報を取得しうる生体情報取得部をそなえた携帯電話機と回線交換方式で通信可能に接続されるとともに、携帯電話機と通信可能に接続され、この携帯電話機の利用者に対してサービスを提供しうるサービス提供部と通信可能に接続され、この携帯電話機の利用者の認証を行なう情報処理装置であって、利用者を特定するための認証用データを予め記憶する認証用データ記憶部と、携帯電話機から送信されてきた、金融機関における利用者の口座番号とこの口座番号に対応する口座パスワードとに基づいて利用者の正当性を判断する判断部と、この判断部により利用者が正当であると判断された場合に、生体情報取得部により取得され携帯電話機から送信されてきた生体情報を、認証用データとして認証用データ記憶部に記憶させる制御部と、生体情報取得部により取得され携帯電話機から送信されてきた生体情報を分析する分析部と、認証用データ記憶部に記憶された認証用データと分析部による分析結果とに基づいて利用者を認証する認証部と、この認証部によって認証された利用者に対して認証情報を付与する認証情報付与部と、この認証情報付与部によって付与された認証情報を音声通信により携帯電話機に通知する通知部とをそなえ、利用者が、サービス提供部によって提供されるサービスを携帯電話機を用いて利用する際に、携帯電話機が、通知部から認証情報を音声通信により受信した後に、この認証情報をサービス提供部にデータ通信により通知するとともに、情報処理装置が、認証情報付与部により付与された認証情報をサービス提供部に通知し、サービス提供部が、携帯電話機から通知された認証情報と、情報処理装置から通知された認証情報とに基づいて利用者を認証し、この認証された利用者に対して携帯電話機を介してサービスを提供することを特徴としている。
【００２２】
また、利用者の口座番号とこの口座番号に対応する口座パスワードとを利用者毎に対応付けて記憶する利用者情報記憶部をそなえ、判断部が、利用者が入力する口座番号および口座パスワードが、利用者情報記憶部に記憶されている口座番号および口座パスワードに一致するか否かを判断することによって、利用者の正当性を判断してもよい（請求項１２）。
【００２８】
【発明の実施の形態】
以下、図面を参照して本発明の実施の形態を説明する。
（Ａ）一実施形態の説明
図１は本発明の一実施形態としての認証システムの構成を示すブロック図である。本認証システム１は、図１に示すように、携帯電話機（情報端末）３０，認証サーバ１０，金融機関サーバ４０およびネットワーク（電話回線）５０をそなえて構成されている。
【００２９】
携帯電話機３０は、利用者が携帯可能であって、通話やデータ通信を行なうためのものであり、認証サーバ１０および金融機関サーバ４０と通信可能に接続されている。
また、携帯電話機３０は、音声による通話機能とデータ通信機能とをそなえている。但し、この携帯電話機３０は、通信が終了するまで回線を占有する方式である回線交換方式を採用しており、利用者は、通話機能とデータ通信機能とを同時に使用することはできず、データ通信機能を利用するためには通話を終了させる必要があり、又、音声による通話を行なう場合にはデータ通信を終了させる必要がある。すなわち、利用客は、これらの通話（音声通話）機能とデータ通信機能とを必要に応じて切り換えて利用するようになっている。
【００３０】
携帯電話機３０は、マイクロフォン３１，ダイヤルボタン３５および送受信部３４をそなえて構成されている。マイクロフォン３１は、利用者が音声通話を行なう際に音声を入力するためのものである。また、利用客は、後述する音声認識を行なう際に、このマイクロフォン３１からその音声（生体情報）を入力するようになっており、利用者の生体情報を取得しうる生体情報取得部として機能するようになっている。
【００３１】
以下、利用者の識別情報として、利用者の音声データ（音声情報）を用いる場合について説明する。
ダイヤルボタン３５は、利用客が音声通話を行なう際に通話先の電話番号を入力したり、データ通信を行なう際に、種々の入力を行なったりするためのものである。又、利用者は、予め利用客情報記憶部１６（後述）に保存する情報として、利用者の電話番号に対応して設定した接続パスワードを、携帯電話機３０のダイヤルボタン３５から入力することができるようになっており、このダイヤルボタン３５が接続パスワード入力部３２として機能するようになっている。
【００３２】
送受信部３４は、ネットワーク５０を介して、認証サーバ１０や金融機関サーバ４０との間で音声やデータを送受信するためのものである。
また、利用者が、携帯電話機３０を用いて所定の電話番号に電話することより、ネットワーク（電話回線）５０を介して認証サーバ１０に音声通信で接続するようになっている。
【００３３】
ここで、利用者が、携帯電話機３０を用いて、認証サーバ１０に接続した状態で音声通信を行なう場合には、ダイヤルボタン３５を操作して、種々の入力（例えば、自分を識別するための情報の入力等）を行なったり、音声認識を行なうためにマイクロフォン３１から音声データを入力したりするようになっている。
なお、かかる音声通信時には、ダイヤルボタン３５により入力された操作内容は、ダイヤルボタン３５を構成する各ボタン（キー）に設定されたトーン（音：アナログ信号）により識別されるようになっている。
【００３４】
また、利用者は、携帯電話機３０を認証サーバ１０に接続した状態でデータ通信を行なう場合にも、ダイヤルボタン３５を操作して、種々の入力（例えば、自分を識別するための情報の入力等）を行なうようになっている。
なお、かかるデータ通信時には、ダイヤルボタン３５により入力された操作内容は、ダイヤルボタン３５を構成する各ボタン（キー）に設定されたデジタル信号により識別されるようになっている。
【００３５】
さらに、利用者は、この携帯電話機３０を用いて金融機関サーバ４０にデータ通信機能によって接続し、この金融機関サーバ４０が提供する種々のサービスを利用することができるようになっており、利用者は、金融機関サーバ４０に接続する際に、後述する認証サーバ１０の通知部１５によって通知された認証パスワードを、ダイヤルボタン３５を用いて入力するようになっている。
【００３６】
そして、利用者によって、ダイヤルボタン３５を用いて入力された認証パスワードは、送受信部３４によってネットワーク５０を介して金融機関サーバ４０に通知（送信）されるようになっている。
認証サーバ１０は、携帯電話機３０の利用者の認証を行なうものであり、ネットワーク５０を介して、携帯電話機３０および金融機関サーバ４０と通信可能に接続されている。この認証サーバ１０は、図１に示すように、認証用データ記憶部１１，分析部１２，認証部１３，認証情報付与部１４，通知部１５，利用者情報記憶１６，電話番号取得部１７，電話番号判断部１８，制御部１９，接続パスワード取得部２０，接続パスワード判断部２１および送受信部２５をそなえて構成されている。
【００３７】
認証用データ記憶部１１は、利用者を特定するための認証用データを予め記憶するためのものであり、例えば、コンピュータシステムにおけるハードディスク等がこの認証用データ記憶部１１として機能する。本実施形態においては、先述した如く、生体情報として利用者の音声データを用いるので、利用者の音声データに基づいて作成した声紋データが、認証用データとして認証用データ記憶部１１に記憶されるようになっている。
【００３８】
図２は本発明の一実施形態としての認証システム１における認証サーバ１０の認証用データ記憶部１１に記憶される認証データテーブルの例を示す図である。この図２に示すように、認証用データ記憶部１１は、ユーザＩＤと認証データとを互いに対応させて構成された認証データテーブルを記憶している。ユーザＩＤは、利用者を特定するために利用者毎に設定された識別用の情報（コード）であり、利用者毎にそれぞれ異なる情報が設定されるようになっている。なお、このユーザＩＤは図２に示す例に限定されるものではなく、本発明の趣旨を逸脱しない範囲で種々変形して実施することができる。
【００３９】
分析部１２は、携帯電話機３０のマイクロフォン３１から取得された音声データを分析するものであり、この音声データに基づいて声紋データを作成するようになっている。
認証部１３は、認証用データ記憶部１１に予め記憶された声紋データ（認証用データ）と、分析部１２によって作成された声紋データ（分析結果）とに基づいて利用者を認証するものである。具体的には、認証部１３は、認証用データ記憶部１１に予め記憶された声紋データと分析部１２によって作成された声紋データとが一致もしくは略一致する場合に、携帯電話機３０の利用者が認証用データの登録を行なった者であると認定するようになっている。
【００４０】
なお、この認証部１３における声紋データに基づく認定手法としては、公知の種々の手法を用いることができるので、その詳細については省略する。
認証情報付与部１４は、認証部１３によって認証された利用者に対して認証情報を付与するものである。この認証情報はその利用者が認証されたことを示すための情報であって、例えば複数の数字の羅列によって構成されたパスワード（以下、認証パスワードという）が認証情報として発行される。
【００４１】
図３は本発明の一実施形態としての認証システム１における認証サーバ１０の認証情報付与部１４によって発行された認証パスワードをユーザＩＤと対応させて構成されたテーブル２ａの例を示す図である。そして、この図３に示すテーブル２ａは、例えば、コンピュータシステムにおけるハードディスク等に記録されるようになっている。
【００４２】
通知部１５は、認証情報付与部１４によって付与された認証情報を利用者の携帯電話機３０に通知するものである。本実施形態においては、通知部１５は、携帯電話機３０の通話機能を用いて、利用者に対して音声で認証パスワードを通知するようになっている。
また、本認証システム１においては、利用者は、携帯電話機３０を用いて、音声通話により自らの音声を認証用データ記憶部１１に記憶される認証用データとして入力したり、又、認証用データ記憶部１１に既に入力されている認証用データを更新したりすることができるようになっている。
【００４３】
さて、このような認証用データの入力・更新においては、認証用データの入力・更新の作業を行なうものが正当な利用者であることが重要である。そこで、本認証システム１においては、利用者情報記憶部１６，電話番号取得部１７，電話番号判断部１８，制御部１９，接続パスワード取得部２０および接続パスワード判断部２１を用いて利用者の正当性を判断するようになっている。
【００４４】
利用者情報記憶部１６は、利用者の電話番号と接続パスワードとを利用者毎に対応付けて予め記憶するものであって、図４に示すような、利用客の電話番号と接続パスワードとをユーザＩＤに対応させて構成した利用者テーブル３ａを記憶するようになっている。なお、この図４に示す利用者テーブル３ａも、図３に示したテーブル２ａと同様に、例えば、コンピュータシステムにおけるハードディスク等に記録されるようになっている。
【００４５】
ここで、電話番号は、利用者の携帯電話機３０の電話番号であり、接続パスワードは、利用者が音声による認証を行なう際に、携帯電話機３０のダイヤルボタン３５を用いて入力するためのパスワードである。なお、接続パスワードは、携帯電話機３０のダイヤルボタン３５から入力されるものであるので、数字の組み合わせによって構成することが望ましい。
【００４６】
電話番号取得部１７は、利用者の電話番号、すなわち携帯電話機３０の電話番号を取得するものであり、例えば、携帯電話機３０の発信者番号通知機能を利用して取得したり、又、利用者が認証サーバ１０に電話回線により接続した際に、利用者に対して電話番号を入力させることによって取得したりすることにより、その電話番号を取得するようになっている。
【００４７】
電話番号判断部１８は、そのユーザＩＤによって特定される利用者について、電話番号取得部１７によって取得した利用者の電話番号が、利用者テーブル３ａ（図４参照）における、そのユーザＩＤに対応する電話番号と一致するか否かを判断し、その判断結果を制御部１９に送信するようになっている。すなわち、電話番号判断部１８は、電話番号取得部１７によって取得した電話番号と、利用者情報記憶部１６に記憶された電話番号とが一致するか否かを判断するようになっている。
【００４８】
接続パスワード取得部２０は、携帯電話機３０のダイヤルボタン３５（接続パスワード入力部３２）から入力された接続パスワードを取得するものである。又、接続パスワード判断部２１は、ユーザＩＤによって特定される利用者について、ダイヤルボタン３５から入力された接続パスワードと、利用者情報記憶部１６に記憶された接続パスワードとが一致するか否かを判断するものである。
【００４９】
制御部１９は、電話番号判断部１８により電話番号が一致すると判断され、かつ、接続パスワード判断部２１により接続パスワードが一致すると判断された場合に、携帯電話機３０の利用者が利用者情報記憶部１６に記録されている利用者と同一である（すなわち、この利用者が正当である）と判断し、マイクロフォン３１により取得され携帯電話機３０から送信されてきた音声データを認証用データとして認証用データ記憶部１１に記憶するようになっている。
【００５０】
送受信部２５は、認証サーバ１０を、ネットワーク５０を介して携帯電話機３０や金融機関サーバ４０と通信可能に接続するために、種々のデータの送受信を行なうものであって、例えば、コンピュータシステムにおけるＬＡＮカード等がこの送受信部２５として機能するようになっている。
金融サーバ（サービス提供部）４０は、ネットワーク５０を介して携帯電話機３０および認証サーバ１０に接続され、これらの携帯電話機３０および認証サーバ１０とデータ通信によって通信可能なコンピュータシステム（サーバ）であって、携帯電話機３０を用いて接続した利用者に対して、金融サービス（サービス）を提供するものである。
【００５１】
この金融機関４０は、照合部４１，管理部４２，認証パスワード記憶部４４およびデータ送受信部４３をそなえて構成されている。
認証パスワード記憶部４４は、認証サーバ１０の認証情報付与部１４によって付与され、認証サーバ１０から通知された認証パスワードをユーザＩＤと対応させて登録するものであり、例えば、コンピュータシステムにおけるハードディスクが、この認証パスワード記憶部４４として機能するようになっている。
【００５２】
なお、このこの認証パスワード記憶部４４に記憶される認証パスワードは、例えば、図３に示したテーブル２ａのように、ユーザＩＤに対応させて記憶される。
照合部４１は、携帯電話機３０から通知された認証パスワードを、認証サーバ１０から通知された認証パスワード（すなわち、認証パスワード記憶部４４に記憶された認証パスワード）と照合するものであって、その照合結果を管理部４２に通知するようになっている。
【００５３】
管理部４２は、利用者に対して種々の金融サービス（例えば、残高照会や振込等）を提供するものであって、照合部４１による照合の結果、携帯電話機３０から通知された認証パスワードと認証サーバ１０から通知された認証パスワードとが一致する場合に、その利用者に対して金融サービスを提供するようになっている。
【００５４】
データ送受信部４３は、携帯電話機３０や認証サーバとの間でデータを通信するためのものである。
上述の如く構成された本発明の一実施形態としての認証システム１における、利用者が、金融機関が提供するサービス（モバイルバンキング）を携帯電話機３０を用いて利用する場合の処理を、図５に示すフローチャート（ステップＡ１０〜Ａ４０）に従って説明する。なお、利用者を特定するための音声データ（認証用データ）は、予め認証サーバ１０の認証用データ記憶部１１に記憶しておくものとする（認証用データ記憶ステップ）。
【００５５】
利用者は、先ず、携帯電話機３０の通話機能を用いて所定の電話番号に電話することにより認証サーバ１０に音声通信で接続する（ステップＡ１０）。そして、利用者は、この認証サーバ１０との通話において、認証サーバ１０からの指示に従って、ダイヤルボタン３５を用いてユーザＩＤを入力するとともに、マイクロフォン３１を用いて音声認証を行なうための特定の言葉を音声によって入力し（生体情報取得ステップ）、認証サーバ１０の認証部１３は音声認証を行なう（ステップＡ２０）。
【００５６】
この音声認証によって利用者であることが認証されると、認証サーバ１０の認証情報付与部１４によって認証パスワードが付与され（ステップＡ３０）、この認証パスワードが音声通話で利用者に通知される。又、この認証情報付与部１４によって付与された認証パスワードは、金融機関サーバ４０にも通知される。
そして、利用者は、認証サーバ１０への電話接続（音声通信）を、一旦切断した後、今度は、データ通信機能を用いて金融機関サーバ４０に接続し、ステップＡ３０において付与された認証パスワードを用いて金融機関サーバ４０が提供するサービスを受ける（ステップＡ４０）。
【００５７】
次に、本発明の一実施形態としての認証システム１の携帯電話機３０における音声認証に関する処理を、図６に示すフローチャート（ステップＢ１０〜Ｂ６０）に従って説明する。利用者は、携帯電話機３０の音声通話機能で所定の電話番号に電話することにより認証サーバ１０に接続する（ステップＢ１０）。
【００５８】
携帯電話機３０は、認証サーバ１０へ電話接続を行なうことができたか否かを判断して（ステップＢ２０）、接続できなかった場合には（ステップＢ２０のＮＯルート参照）、処理を終了する。又、認証サーバ３０と電話接続を行なうことができた場合には（ステップＢ２０のＹＥＳルート参照）、利用者は、ダイヤルボタン３５を用いてユーザＩＤを入力し、携帯電話機３０は、この入力されたユーザＩＤを送受信部３４によって認証サーバ１０に送信する（ステップＢ３０）。
【００５９】
次に、利用者は、携帯電話機３０のマイクロフォン３１から音声認証を行なうための音声データの入力を行ない、利用者は、入力された音声データを認証サーバ１０に送信する（ステップＢ４０）。
利用者は、認証サーバ１０から認証結果が送信されたか否かを確認し、（ステップＢ５０）、認証結果を受信していない場合には（ステップＢ５０の“未受信”ルート参照）、認証サーバ１０から認証結果が送信されるまで待つ。そして、認証結果が送信されると（ステップＢ５０の“受信”ルート参照）、携帯電話機３０は、送信された認証結果（例えば、認証パスワードや認証できなかった旨の通知）を受信する（ステップＢ６０）。
【００６０】
次に、本発明の一実施形態としての認証システム１の情報処理装置１０における音声認証に関する処理を、図７に示すフローチャート（ステップＣ１０〜Ｃ７０）に従って説明する。
認証サーバ１０は、携帯電話機３０からユーザＩＤ（図６のステップＢ３０参照）および音声データ（図６のステップＢ４０参照）を受信すると（ステップＣ１０）、予め認証用データ記憶部１１に記憶されている認証用データ（図２参照）の中から、そのユーザＩＤに対応する認証データを読み出す（ステップＣ２０）。
【００６１】
そして、携帯電話機３０から入力された音声データを分析部１２によって分析した後（分析ステップ）、認証部１３によって、この分析結果をステップＣ２０において読み出した認証用データと照合し（ステップＣ３０）、音声データの入力を行なっている利用者が認証用データを入力した本人であるか否かを判断する（ステップＣ４０；認証ステップ）。
【００６２】
ここで、認証部１３によって、本人であると認証された場合には（ステップＣ４０のＹＥＳルート参照）、認証情報付与部１４によって認証パスワードを発行するとともに（ステップＣ５０；認証情報付与ステップ）、その発行した認証パスワードを金融機関サーバ４０に送信する（第３通知ステップ）。この金融機関サーバ４０においては、送信された認証パスワードを記憶する（ステップＣ６０）。
【００６３】
また、通知部１５は、認証情報部付与部１４によって付与された認証パスワードを利用者に対して音声で通知する（ステップＣ７０；第１通知ステップ）。
認証部１３が、音声データの入力を行なっている利用者が認証用データを入力した本人ではないと判断した場合には（ステップＣ４０のＮＯルート参照）、ステップＣ７０に移行し、その旨を示す認識結果を携帯電話機３０に通知する。
【００６４】
次に、本発明の一実施形態としての認証システム１の携帯電話機３０における金融機関サーバ４０への接続に関する処理を、図８に示すフローチャート（ステップＤ１０〜Ｄ５０）に従って説明する。
利用者は携帯電話機３０のデータ通信機能により金融機関サーバ４０に接続して、ダイヤルボタン３５から、ユーザＩＤと、認証サーバ１０の通知部１５によって通知された認証パスワードとを入力し（ステップＤ１０）、携帯電話機３０は、これらの入力された情報（ユーザＩＤおよび認証パスワード）を送受信部３４により、ネットワーク５０を介して金融機関サーバ４０に送信する（ステップＤ２０；第２通知ステップ）。
【００６５】
そして、携帯電話機３０は、金融機関サーバ４０からの認証結果が送信されたか否かを確認する（ステップＤ３０）。ここで、金融機関４０から認証結果が送信されない場合には（ステップＤ３０の“未受信”ルート参照）、ステップＤ３０を繰り返し行ない、認証結果が送信されるまで待つ。
金融機関サーバ４０から認証結果を受信すると（ステップＤ３０の“受信”ルート参照”）、情報処理装置１０は、その認証結果について、認証されたか否かを確認する（ステップＤ４０）。ここで、金融機関サーバ４０によって認証パスワードが認証された場合には（ステップＤ４０のＹＥＳルート参照）、携帯電話機３０は、金融機関サーバ４０によって提供される種々のサービスを受けるべく（サービス提供ステップ）、必要な処理（入力処理，表示処理等）を行なう（ステップＤ５０）。又、金融機関サーバ４０によって認証パスワードが認証されなかった場合には（ステップＤ４０のＮＯルート参照）、そのまま処理を終了する。
【００６６】
次に、本発明の一実施形態としての認証システム１の金融機関サーバ４０における認証に関する処理を、図９に示すフローチャート（ステップＥ１０〜Ｅ６０）に従って説明する。
金融機関サーバ４０は、携帯電話機３０からユーザＩＤ（図８のステップＤ１０参照）および認証パスワード（図８のステップＤ１０参照）を受信すると（ステップＥ１０）、認証パスワード記憶部４４からそのユーザＩＤに対応する認証パスワードを読み出す（ステップＥ２０）。
【００６７】
そして、照合部４１は、携帯電話機３０から送信された認証パスワードを、認証パスワード記憶部４４から読み出した認証パスワードと照合し（ステップＥ３０）、これらの携帯電話機３０から送信された認証パスワードと、認証パスワード記憶部４４から読み出した認証パスワードとが一致するか否かを判断する（ステップＥ４０）。
【００６８】
ここで、これらの認証パスワードが一致しなかった場合には（ステップＥ４０のＮＯルート参照）、その旨の情報を携帯電話機３０に送信して（ステップＥ５０）、処理を終了する。又、これらの認証パスワードが一致した場合には（ステップＥ４０のＹＥＳルート参照）、利用者の要求に応じて、管理部４２が種々の金融サービスを利用者に対して提供し（ステップＥ６０）、処理を終了する。
【００６９】
このように、本発明の一実施形態としての認証システム１によれば、回線交換方式の携帯電話機３０においても、携帯電話機３０のマイクロフォン３１から入力する音声を用いて、携帯電話機３の利用者の認証（音声認証）を行ない、この音声通話の後に、携帯電話機３０を用いて行なうモバイルバンキング（データ通信）において、この音声認証の結果を用いることができるので、モバイルバンキング時において利用者に関するセキュリティを高めることができ、システムの信頼性を向上させることができる。
【００７０】
また、認証用データ記憶部１１に記憶された認証用データと分析部１２による分析結果とに基づいて利用者を認証して、この認証された利用者に対して認証パスワードを付与し利用者に通知することにより、利用者をその音声（生体情報）に基づいて認証することができ、又、利用者は、その認証の結果を認証パスワードとして受け取ることができるので、認証パスワードを有する利用者を生体情報に基づく認証を受けたものと判断することができる。
【００７１】
これにより、認証パスワードを有する利用者を、音声認証を受けていると同様に取り扱うことが出来、利用者及びシステムの信頼性を向上させることができる。
利用者が金融機関サーバ４０によって提供される金融サービスを利用する際に、利用者によって入力された認証パスワードを携帯電話機３０から金融機関サーバ４０に通知するとともに、認証情報付与部１４によって付与された認証パスワードを金融機関サーバ４０に通知し、金融機関サーバ４０において、これらの認証パスワードに基づいて利用者を認証し、この認証された利用者に対して金融サービスを提供することにより、利用者が金融機関サーバ４０によって提供されるサービスを利用する際に、金融サービスを提供される利用者を確実に認証することができ、システムの信頼性を向上させることができる。
【００７２】
また、回線交換方式の携帯電話機３０であっても、利用者が携帯電話機３０と金融機関サーバ４０との間でデータ通信を行なう際に、この携帯電話機３０の利用者に対して行なった音声認証の認証結果を用いることができ、これによってもシステムの信頼性を向上させることができる。
（Ｂ）第１変形例の説明
図１０は本発明の第１変形例としての認証システム１ａの構成を示すブロック図である。この図１０に示すように、本第１変形例の認証システム１ａは、図１に示す認証システム１における認証サーバ１０に、判断部２２をそなえて構成されている。
【００７３】
また、本第１変形例の認証システム１ａにおける利用者情報記憶部１６は、利用者の金融機関の口座番号とこの口座番号に対応する口座パスワードとを利用者毎に対応付けて記憶するようになっている。図１１は本第１変形例の認証システム１ａにおける利用者の口座番号と口座パスワードとをユーザＩＤに対応させて構成した利用者テーブル３ｂの例を示す図であり、本第１変形例の認証システム１ａの利用者情報記憶部１６は、この図１１に示すような利用者テーブル３ｂを記憶するようになっている。
【００７４】
さらに、本第１変形例の認証システム１ａにおいては、認証用データ記憶部１１に記録されている認証用データを更新する際に、利用者は、自らの正当性を示すために、金融機関の口座番号および口座パスワードを携帯電話機３０のダイヤルボタン３５（利用者情報入力部３３）から入力するようになっている。
すなわち、利用者は、例えば金融機関の口座番号とこの口座番号に対応する口座パスワードとを、利用客の正当性を判断するための情報として利用客情報記憶部１６（後述）に保存するために、ダイヤルボタン３５から入力することができるようになっている。すなわち、このダイヤルボタン３５が利用者情報入力部３３として機能するようになっている。
【００７５】
判断部２２は、携帯電話機３０のダイヤルボタン３５によって入力され、携帯電話機３０から送信されてきた口座番号および口座パスワードに基づいて利用者の正当性を判断するものである。
なお、図中、既述の符号と同一の符号は同一もしくは略同一の部分を示しているので、その詳細な説明は省略する。
【００７６】
本発明の第１変形例としての認証システム１ａは上述のごとく構成されているので、認証用データ記憶部１１に記憶されている認証用データの更新を行なう場合には、利用者は携帯電話機３０の通話機能により認証サーバ１０に接続して、ダイヤルボタン３５から、金融機関の口座番号とこの口座番号に対応する口座パスワードとを入力する。
【００７７】
そして、判断部２２が、携帯電話機３０のダイヤルボタン３５（利用者情報入力部３３）から入力された金融機関の口座番号および口座パスワードを、利用者情報記憶部１６に予め記憶された利用客の口座番号および口座パスワードと一致するか否かを判断して、一致する場合には、その利用者が正当であると判断して、認証用データ記憶部１１に、新たな認証用データを記憶させる。
【００７８】
このように、本発明の第１変形例としての認証システム１ａにおいては、上述した第１実施形態と同様の作用効果を得ることができる他、金融機関の口座番号および口座パスワードという、本来、利用者本人だけしか知らない情報に基づいて利用者の正当性を判断しているので、認証用データの信頼性が向上する。
（Ｃ）第２変形例の説明
図１２は本発明の第２変形例としての認証システム１ｂの構成を示すブロック図である。この図１２に示すように、本第２変形例の認証システム１ｂは、図１に示す認証システム１における認証サーバ１０に、利用者情報判断部２４をそなえて構成されている。なお、図中、既述の符号と同一の符号は同一もしくは略同一の部分を示しているので、その詳細な説明は省略する。
【００７９】
また、本第２変形例の認証システム１ｂにおける利用者情報記憶部１６は、利用者の金融機関の口座番号とこの利用者の電話番号とを利用者毎に対応付けて記憶するようになっている。図１３は本発明の第２変形例の認証システム１ｂにおける利用者の口座番号と電話番号とをユーザＩＤに対応させて構成した利用者テーブル３ｃの例を示す図であり、本第２変形例の認証システム１ｂの利用者情報記憶部１６は、この図１３に示すような利用者テーブル３ｃを記憶するようになっている。
【００８０】
さらに、本第２変形例の認証システム１ｂにおいては、認証用データ記憶部１１に記録されている認証用データを更新する際に、利用者は、自らの正当性を示すために、金融機関の口座番号を携帯電話機３０のダイヤルボタン３５（利用者情報入力部３３）から入力するようになっている。
また、電話番号取得部１７が、利用者の電話番号、すなわち携帯電話機３０の電話番号を取得するようになっている。
【００８１】
利用者判断部２４は、電話番号取得部１７によって取得した電話番号と、携帯電話機３０のダイヤルボタン３５（利用者情報入力部３３）によって入力され、携帯電話機３０から送信されてきた口座番号とが、利用者情報記憶部１６に記憶された口座番号と電話番号とに一致するか否かを判断するものである。
制御部１９は、利用者判断部２４により口座番号と電話番号とが一致すると判断された場合に、携帯電話機３０の利用者が利用者情報記憶部１６に記録されている利用者と同一である（すなわち、この利用者が正当である）と判断し、マイクロフォン３１により取得され携帯電話機３０から送信されてきた音声データを認証用データとして認証用データ記憶部１１に記憶するようになっている。
【００８２】
本発明の第２変形例としての認証システム１ｂは上述のごとく構成されているので、認証用データ記憶部１１に記憶されている認証用データの更新を行なう場合には、利用者は携帯電話機３０の通話機能により認証サーバ１０に接続して、ダイヤルボタン３５から、金融機関の口座番号を入力する。
この際、電話番号取得部１７が、その携帯電話機３０の電話番号を取得する。
【００８３】
そして、利用者判断部２４が、携帯電話機３０のダイヤルボタン３５（利用者情報入力部３３）から入力された金融機関の口座番号および電話番号が、利用者情報記憶部１６に予め記憶された利用客の口座番号および電話番号と一致するか否かを判断して、一致する場合には、その利用者が正当であると判断して、認証用データ記憶部１１に、新たな認証用データを記憶させる。
【００８４】
このように、本発明の第２変形例としての認証システム１ｂにおいては、上述した第１実施形態と同様の作用効果を得ることができるほか、利用者は携帯電話機３０のダイヤルボタン３５から口座番号だけを入力すればよく、利便性が高い。
（Ｄ）第３変形例の説明
図１４は本発明の第３変形例としての認証システム１ｃの構成を示すブロック図である。この図１４に示すように、本第３変形例の認証システム１ｃは、使用回数設定部２６をそなえる他は、上述した認証システム１（図１参照）と同様の構成をそなえている。なお、図中、既述の符号と同一の符号は同一もしくは略同一の部分を示しているので、その詳細な説明は省略する。
【００８５】
使用回数設定部２６は、認証情報付与部１４によって付与された認証パスワードに使用回数の制限（有効使用回数）を設定するものであり、例えば金融機関サーバ４０の管理者等が、この使用回数設定部２６を用いて、認証パスワードに任意の有効使用回数を設定することができるようになっている。
本第３変形例の認証システム１ｃにおいては、認証情報付与部１４によって付与される認証パスワードには、使用回数設定部２６により、その用途（本変形例ではアプリケーション）に応じて、予め所定回数の有効使用回数が設定されるようになっている。図１５は本発明の第３変形例の認証システム１ｃにおける認証サーバ１０の認証情報付与部１４によって付与された認証パスワードに、ユーザＩＤとその認証パスワードの使用回数とを対応付けて構成されたテーブル２ｂの例を示す図、図１６はその認証パスワードの有効使用回数の設定例を示す図である。
【００８６】
なお、これらの図１５に示すテーブル２ｂや図１６に示すテーブルも、図３に示したテーブル２ａと同様に、例えば、コンピュータシステムにおけるハードディスク等に記録されるようになっている。
認証情報付与部１４によって付与された認証パスワードが、利用者によってモバイルバンキング等を利用するための認証に使用されると、図１５に示すように、テーブル２ｂにおける認証パスワードの利用回数が更新される。なお、このテーブル２ｂにおける認証パスワードの利用回数は、認証パスワードが更新されるとリセットされる。
【００８７】
また、認証パスワードに設定する有効使用回数は、例えば、その用途によって異なる回数を設定することができ、例えば、図１６に示すように、その認証パスワードが使用されるサービスや、そのサービスを提供するために使用されるアプリケーション（アプリ）毎にそれぞれ有効使用回数を設定することができる。なお、図１６においては、アプリケーション毎に有効使用回数を設定する例を示している。
【００８８】
そして、金融機関サーバ４０は、利用者に対してサービスを提供する際に、テーブル２ｂに記録されている使用回数と、提供するサービスもしくはそのサービスに用いられるアプリケーションに対して設定されている有効使用回数（図１６参照）とを比較する。そして、金融機関サーバ４０は、テーブル２ｂに記録されている使用回数が有効使用回数よりも多い場合には、利用者に対してそのサービスを提供しない。
【００８９】
上述の如く構成された、本発明の第３変形例としての認証システム１ｃの金融機関サーバ４０における認証に関する処理を、図１７に示すフローチャート（ステップＦ１０〜Ｆ９０）に従って説明する。
金融機関サーバ４０は、携帯電話機３０からユーザＩＤ（図８のステップＤ１０参照）および認証パスワード（図８のステップＤ１０参照）を受信すると（ステップＦ１０）、認証パスワード記憶部４４からそのユーザＩＤに対応する認証パスワードを読み出す（ステップＦ２０）。
【００９０】
そして、金融機関サーバ４０は、テーブル２ｂ（図１５参照）に記録されている認証パスワードの使用回数と、利用者に対して提供するサービスに用いられるアプリケーションに対して設定されている有効使用回数（図１６参照）とを比較し（ステップＦ３０）、その使用回数が有効回数よりも多い場合には（ステップＦ３０のＹＥＳルート参照）、その認証パスワードが無効であり、サービスを提供することができない旨を携帯電話機３０に通知し、この携帯電話機３０はその内容を利用者に通知して（ステップＦ８０）、処理を終了する。
【００９１】
一方、認証パスワードの使用回数が有効回数以下である場合には（ステップＦ３０のＮＯルート参照）、照合部４１は、携帯電話機３０から送信された認証パスワードを、認証パスワード記憶部４４から読み出した認証パスワードと照合し（ステップＦ４０）、これらの携帯電話機３０から送信された認証パスワードと、認証パスワード記憶部４４から読み出した認証パスワードとが一致するか否かを判断する（ステップＦ５０）。
【００９２】
ここで、これらの認証パスワードが一致しなかった場合には（ステップＦ５０のＮＯルート参照）、その旨の情報を携帯電話機３０に送信して（ステップＦ９０）、処理を終了する。又、これらの認証パスワードが一致した場合には（ステップＦ５０のＹＥＳルート参照）、テーブル２ｂ（図１５参照）に記録されている認証パスワードの使用回数に１を加算して更新した後（ステップＦ６０）、利用者の要求に応じて、管理部４２が種々の金融サービスを利用者に対して提供し（ステップＦ７０）、処理を終了する。
【００９３】
このように、本発明の第３変形例の認証システム１ｃによれば、上述した第１実施形態と同様の作用効果を得ることができる他、使用回数設定部２６によって、認証パスワードの有効使用回数を所定回数に制限することにより、この認証パスワードの信頼性が向上し、システムの信頼性が向上する。
（Ｅ）第４変形例の説明
図１８は本発明の第４変形例としての認証システム１ｄの構成を示す図である。この図１８に示すように、本第４変形例の認証システム１ｄは、使用時間設定部２７をそなえる他は、上述した認証システム１（図１参照）と同様の構成をそなえている。なお、図中、既述の符号と同一の符号は同一もしくは略同一の部分を示しているので、その詳細な説明は省略する。
【００９４】
使用時間設定部２６は、認証情報付与部１４によって付与された認証パスワードに有効時間を設定するものであり、例えば金融機関サーバ４０の管理者等が、この使用時間設定部２７を用いて、認証パスワードに任意の有効時間を設定することができるようになっている。
本第４変形例の認証システム１ｄにおいては、認証情報付与部１４によって付与された認証パスワードには、使用時間設定部２７により、その用途（本変形例ではアプリケーション）に応じて、予め所定期間の有効時間が設定されるようになっている。図１９は本発明の第４変形例の認証システム１ｄにおける認証サーバ１０の認証情報付与部１４によって付与された認証パスワードに、ユーザＩＤとパスワード設定時間とを対応付けて構成されたテーブル２ｃの例を示す図、図２０はその認証パスワードの有効時間の設定例を示す図である。
【００９５】
なお、これらの図１９に示すテーブル２ｃや図２０に示すテーブルも、図３に示したテーブル２ａと同様に、例えば、コンピュータシステムにおけるハードディスク等に記録されるようになっている。
認証情報付与部１４によって認証パスワードが付与されると、図１９に示すように、認証パスワードが設定された時間（パスワード設定時間）が、その認証パスワードに対応してテーブル２ｃに記録されるようになっている。
【００９６】
また、認証パスワードに設定する有効時間は、例えば、その用途によって異なる期間を設定することができ、例えば、図２０に示すように、その認証パスワードが使用されるサービスや、そのサービスを提供するために使用されるアプリケーション（アプリ）毎にそれぞれ有効時間を設定することができる。なお、図２０においては、アプリケーション毎に有効時間を設定する例を示している。
【００９７】
金融機関サーバ４０は、利用者に対してサービスを提供する際に、その時点における時間からテーブル２ｃに記録されているパスワード設定時間を減算することにより認証パスワードが発行されてからの経過時間を算出する。そして、金融機関サーバ４０は、この経過時間と、提供するサービスに用いるアプリケーションに対応して設定されている有効時間（図２０参照）とを比較して、経過時間が有効時間よりも長い場合には、利用者に対するサービスを提供しない。
【００９８】
上述の如く構成された、本発明の第４変形例としての認証システム１ｄの金融機関サーバ４０における認証に関する処理を、図２１に示すフローチャート（ステップＧ１０〜Ｇ８０）に従って説明する。
金融機関サーバ４０は、携帯電話機３０からユーザＩＤ（図８のステップＤ１０参照）および認証パスワード（図８のステップＤ１０参照）を受信すると（ステップＧ１０）、認証パスワード記憶部４４からそのユーザＩＤに対応する認証パスワードを読み出す（ステップＧ２０）。
【００９９】
そして、金融機関サーバ４０は、テーブル２ｂ（図４参照）に記録されている認証パスワードの使用時間と、利用者に対して提供するサービスに用いられるアプリケーションに対して設定されている有効時間（図２０参照）とを比較し（ステップＧ３０）、その使用時間が有効時間よりも長い場合には（ステップＧ３０のＮＯルート参照）、その認証パスワードが無効であり、サービスを提供することができない旨を携帯電話機３０に通知し、この携帯電話機３０はその内容を利用者に通知して（ステップＧ７０）、処理を終了する。
【０１００】
一方、認証パスワードの使用時間が有効時間以下である場合には（ステップＧ３０のＹＥＳルート参照）、照合部４１は、携帯電話機３０から送信された認証パスワードを、認証パスワード記憶部４４から読み出した認証パスワードと照合し（ステップＧ４０）、これらの携帯電話機３０から送信された認証パスワードと、認証パスワード記憶部４４から読み出した認証パスワードとが一致するか否かを判断する（ステップＧ５０）。
【０１０１】
ここで、これらの認証パスワードが一致しなかった場合には（ステップＧ５０のＮＯルート参照）、その旨の情報を携帯電話機３０に送信して（ステップＧ８０）、処理を終了する。又、これらの認証パスワードが一致した場合には（ステップＧ５０のＹＥＳルート参照）、利用者の要求に応じて、管理部４２が種々の金融サービスを利用者に対して提供し（ステップＧ６０）、処理を終了する。
【０１０２】
このように、本発明の第４変形例の認証システム１ｄによれば、上述した第１実施形態と同様の作用効果を得ることができる他、使用時間設定部２７によって、認証パスワードの有効時間を所定期間に制限することにより、この認証パスワードの信頼性が向上し、システムの信頼性が向上する。
（Ｆ）その他
上述した実施形態および各変形例においては、情報処理装置のＣＰＵ（Central Processing Unit）が、コンピュータ読取可能な記録媒体（例えば、メモリ，磁気記憶装置，フロッピーディスク，メモリカード，光磁気記憶装置，ＣＤ−ＲＯＭ，ＣＤ−Ｒ，ＣＤ−ＲＷ，ＤＶＤ，ＤＶＤ−Ｒ，ＤＶＤ−ＲＷ等）に格納されたプログラムを実行することにより、分析部１２，認証部１３，認証情報付与部１４，通知部１５，電話番号取得部１７，電話番号判断部１８，制御部１９，接続パスワード取得部２０，接続パスワード判断部２１，判断部２２，利用者判断部２４，使用回数設定部２６および有効時間設定部２７として機能するようになっている。
【０１０３】
また、上述した実施形態および各変形例においては、金融機関サーバ４０のＣＰＵ（Central Processing Unit）が、コンピュータ読取可能な記録媒体（例えば、メモリ，磁気記憶装置，フロッピーディスク，メモリカード，光磁気記憶装置，ＣＤ−ＲＯＭ，ＣＤ−Ｒ，ＣＤ−ＲＷ，ＤＶＤ，ＤＶＤ−Ｒ，ＤＶＤ−ＲＷ等）に格納されたプログラムを実行することにより、データ送受信部４３，照合部４１，管理部４２として機能するようになっている。
【０１０４】
そして、本発明は上述した実施形態に限定されるものではなく、本発明の趣旨を逸脱しない範囲で種々変形して実施することができる。
例えば、図１，図１０，図１２および図１４に示す、本発明の実施形態およびその変形例の認証システム１，１ａ，１ｂ，１ｃは、携帯電話機３０を１つだけそなえて構成されているが、それに限定されるものではなく、２以上の携帯電話機３０をそなえてもよい。
【０１０５】
また、上述した実施形態および各変形例においては、情報端末として携帯電話機３０を用いているが、これに限定されるものではなく、例えば、生体情報を入力するための機器（例えばマイクロフォン）をそなえたコンピュータシステムを情報端末として用いてもよい。
さらに、上述した実施形態および各変形例においては、生体情報として利用者の音声を用いているが、これに限定されるものではなく、例えば、利用者の生体から採取する、音声以外の利用者固有のバイオメトリクス情報（生体情報：例えば、指紋，掌紋，指形，掌形，網膜，虹彩，顔画像，動的署名，血管パターン，キーストローク等）を用いてもよい。
【０１０６】
また、上述した各変形例においては、認証用データの登録・更新を行なう際の利用者の確認に利用者の電話番号や口座番号，口座パスワード等を用いているが、これに限定されるものではなく、これら以外の情報を用いて利用者を確認してもよい。
さらに、上述した実施形態および各変形例においては、種々のテーブル（２ａ〜２ｃ，３ａ〜３ｃ等）がそれぞれ別々に形成されているが、これに限定されるものではなく、これらのテーブルの一部を合わせて形成したテーブルをそなえてもよい。
【０１０７】
また、上述した実施形態においては、認証情報付与部１４が数字の羅列によって構成されるパスワードを発行（付与）しているが、これに限定されるものでない。例えば、認証情報付与部１４は、数字以外の文字や記号の羅列によって構成されたパスワードを発行してもよく、又、認証された利用者のみが利用できる特定のウェブサイトのＵＲＬ（Uniform Resource Locator）を認証情報として発行してもよい。
【０１０８】
さらに、このようなＵＲＬを認証情報として発行する場合には、通知部１５は、この認証情報付与部１４によって発行されたＵＲＬを、利用者の携帯電話機３０に電子メールによって通知し、利用者は通知されたＵＲＬに携帯電話機３０を用いてアクセスすることにより、金融機関サーバ４０が提供するサービスを受けることができるようにしてもよい。
【０１０９】
またさらに、上述した実施形態においては、認証サーバ１０の認証情報付与部１４によって付与された認証パスワードが金融機関サーバ４０の認証パスワード記憶部４４に記録され、この金融機関サーバ４０において認証パスワードの照合（利用者によって入力された認証パスワードと、認証パスワード記憶部４４に記録された認証パスワードとの照合）を行なっているが、これに限定されるものではなく、本発明の趣旨を逸脱しない範囲で種々変形して実施することができる。
【０１１０】
例えば、このような認定処理を認証サーバ１０において行なってもよく、又、認証情報付与部１４によって付与された認証パスワードを認証パスワード記憶部４４に記憶させる代わりに、金融機関サーバ４０が管理する口座パスワードを認証パスワードに書き換えてもよい。更に、認証パスワードの照合の結果、これらの認証パスワードが一致した利用者に対して、更に、口座パスワードを入力させるようにしたり、この口座パスワードの入力を免除したりしてもよい。
【０１１１】
また、上述した第２変形例においては、利用者の口座番号と電話番号とに基づいて利用者の正当性を判断しているが、これに限定されるものではなく、例えば、電話番号取得部１７によって取得した利用者の電話番号だけに基づいて利用者の正当性を判断してもよい。
具体的には、電話番号取得部１７によって利用者の電話番号を取得するとともに、電話番号判断部１８によって、その取得した電話番号が、利用者情報記憶部１６に記憶された電話番号と一致するかを判断し、取得した電話番号と予め記憶した電話番号とが一致すると判断された場合に、携帯電話機３０のマイクロフォン（生体情報取得部）３１により取得され携帯電話機３０から送信されてきた音声データ（生体情報）を、認証用データとして記憶させてもよく、これにより、認証用データを登録するに際して、予め記憶された電話番号と同じ電話番号の電話回線を用いる利用者の生体情報が認証用データとして登録されるので、認証用データの信頼性を向上させることができ、又、電話番号判断部１８による判断結果だけに基づいて認証用データの登録・更新等の判断を行なうので、処理を高速化することができる。
【０１１２】
また、上述した第１変形例においては、認証サーバ１０の利用者情報記憶部１６に利用者の口座番号や口座パスワードを記憶し、認証サーバ１０においてこれらの記憶された情報を照合することにより利用者の正当性を判断しているが、これに限定されるものではなく、例えば、金融機関（金融機関サーバ４０）に対して口座番号および口座パスワードの照合を依頼してもよい。
【０１１３】
更に、上述した実施形態および各変形例においては、金融機関がサービス提供部である場合について説明したが、これに限定されるものでなく、種々変形して実施することができる。
なお、本発明の各実施形態が開示されていれば、当業者によって製造することが可能である。
【０１１４】
【発明の効果】
以上詳述したように、本発明の認証システムおよび情報処理装置によれば、以下の効果ないし利点がある。
（１）利用者を特定するための認証用データを予め記憶するとともに、携帯電話機において取得した利用者の生体情報を分析し、記憶された認証用データと分析結果とに基づいて利用者を認証して、この認証された利用者に対して認証情報を付与し利用者に通知することにより、利用者をその生体情報に基づいて認証することができ、又、利用者は、その認証の結果を認証情報として受け取ることができるので、認証情報を有する利用者を生体情報に基づく認証を受けたものと判断することができる。これにより、認証情報を有する利用者を、生体情報による認証を受けていると同様に取り扱うことが出来、利用者及びシステムの信頼性を向上させることができる（請求項１，請求項５，請求項７，請求項１１）。
【０１１５】
（２）利用者がサービス提供部によって提供されるサービスを利用する際に、利用者に通知された認証情報を携帯電話機からサービス提供部に通知し、サービス提供部において、携帯電話機から通知された認証情報と認証時に情報処理装置から通知された認証情報とに基づいて利用者を認証し、この認証された利用者に対してサービスを提供することにより、利用者がサービス提供部によって提供されるサービスを利用する際に、サービスを提供される利用者を確実に認証することができ、システムの信頼性を向上させることができる（請求項１，請求項５，請求項７，請求項１１）。
【０１１６】
（３）携帯電話機が情報処理装置およびサービス提供部と回線交換方式で接続され、携帯電話機と情報処理装置との間の通信が音声通信によって行なわれ、携帯電話機とサービス提供部との間の通信がデータ通信により行なわれることにより、回線交換方式の携帯電話機において、利用者が携帯電話機とサービス提供部との間でデータ通信を行なう際に、この携帯電話機の利用者に対して行なった音声認証の認証結果を用いることができ、これによってもシステムの信頼性を向上させることができる（請求項１，請求項５，請求項７，請求項１１）。
【０１１７】
（４）認証情報付与部によって付与される認証情報の有効使用回数を所定回数に制限することにより、この認証情報の信頼性が向上し、システムの信頼性が向上する（請求項３，請求項９）。
（５）認証情報付与部によって付与される認証情報の有効時間を所定期間に制限することによっても、認証情報の信頼性が向上し、システムの信頼性が向上する（請求項４，請求項１０）。
【０１１８】
（６）利用者の電話番号を利用者毎に対応付けて予め記憶するとともに、利用者が情報処理装置への接続に用いた電話回線の電話番号を取得し、この取得した電話番号と予め記憶した電話番号とが一致すると判断された場合に、生体情報取得部により取得され携帯電話機から送信されてきた生体情報を、認証用データとして記憶させることにより、認証用データを登録するに際して、予め記憶された電話番号と同じ電話番号の電話回線を用いる利用者の生体情報が認証用データとして登録されるので、認証用データの信頼性を向上させることができる。
【０１１９】
（７）利用者の電話番号と接続パスワードとを利用者毎に対応付けて予め記憶するとともに、利用者が情報処理装置への接続に用いた電話回線の電話番号を取得し、又、接続パスワード入力部から入力された接続パスワードを取得するとともに、取得した電話番号と、利用者情報記憶部に記憶された電話番号とが一致するか否かを判断し、更に、接続パスワード入力部から入力された接続パスワードと、予め利用者情報記憶部に記憶された接続パスワードとが一致するか否かを判断し、これらの電話番号及び接続パスワードがともに一致する場合に、生体情報取得部により取得され携帯電話機から送信されてきた生体情報を、認証用データとして記憶させることにより、認証用データを登録するに際して、予め記憶された電話番号と同じ電話番号の電話回線を用い、同じ接続パスワードを入力可能な利用者の生体情報が認証用データとして登録されるので、認証用データの信頼性を向上させることができる（請求項１，請求項７）。
【０１２０】
（８）認証用データの信頼性を向上させることができる（請求項５，請求項６，請求項１１，請求項１２）。
【図面の簡単な説明】
【図１】本発明の一実施形態としての認証システムの構成を示すブロック図である。
【図２】本発明の一実施形態としての認証システムにおける認証サーバの認証用データ記憶部に記憶される認証データテーブルの例を示す図である。
【図３】本発明の一実施形態としての認証システム１における認証サーバの認証情報付与部によって発行された認証パスワードをユーザＩＤと対応させて構成されたテーブルの例を示す図である。
【図４】本発明の一実施形態としての認証システム１における認証サーバの利用者情報記憶部に記憶される、利用客の電話番号と接続パスワードとをユーザＩＤに対応させて構成した利用者テーブルの例を示す図である。
【図５】本発明の一実施形態としての認証システムにおける、利用者が、金融機関が提供するサービス（モバイルバンキング）を携帯電話機を用いて利用する場合の処理を説明するためのフローチャートである。
【図６】本発明の一実施形態としての認証システムの携帯電話機における音声認証に関する処理を説明するためのフローチャートである。
【図７】本発明の一実施形態としての認証システムの情報処理装置における音声認証に関する処理を説明するためのフローチャートである。
【図８】本発明の一実施形態としての認証システムの携帯電話機における金融機関サーバへの接続に関する処理を説明するためのフローチャートである。
【図９】本発明の一実施形態としての認証システムの金融機関サーバにおける認証に関する処理を説明するためのフローチャートである。
【図１０】本発明の第１変形例としての認証システムの構成を示すブロック図である。
【図１１】本発明の第１変形例の認証システムにおける利用者の口座番号と口座パスワードとをユーザＩＤに対応させて構成した利用者テーブルの例を示す図である。
【図１２】本発明の第２変形例としての認証システムの構成を示すブロック図である。
【図１３】本発明の第２変形例の認証システムにおける利用者の口座番号と電話番号とをユーザＩＤに対応させて構成した利用者テーブルの例を示す図である。
【図１４】本発明の第３変形例としての認証システムの構成を示すブロック図である。
【図１５】本発明の第３変形例の認証システムにおける認証サーバの認証情報付与部によって付与された認証パスワードに、ユーザＩＤとその認証パスワードの使用回数とを対応付けて構成されたテーブルの例を示す図である。
【図１６】本発明の第３変形例の認証システムにおける認証パスワードの有効使用回数の設定例を示す図である。
【図１７】本発明の第３変形例としての認証システムの金融機関サーバにおける認証に関する処理を説明するためのフローチャートである。
【図１８】本発明の第４変形例としての認証システムの構成を示す図である。
【図１９】本発明の第４変形例の認証システムにおける認証サーバの認証情報付与部によって付与された認証パスワードに、ユーザＩＤとパスワード設定時間とを対応付けて構成されたテーブルの例を示す図である。
【図２０】本発明の第４変形例の認証システムにおける認証パスワードの有効時間の設定例を示す図である。
【図２１】本発明の第４変形例としての認証システムの金融機関サーバにおける認証に関する処理を説明するためのフローチャートである。
【符号の説明】
１，１ａ，１ｂ，１ｃ，１ｄ  認証システム
１０  認証サーバ（情報処理装置）
１１  認証用データ記憶部
１２  分析部
１３  認証部
１４  認証情報付与部
１５  通知部
１６  利用者情報記憶部
１７  電話番号取得部
１８  電話番号判断部
１９  制御部
２０  接続パスワード取得部
２１  接続パスワード判断部
２２  判断部
２４  利用者情報判断部
２５，３４  送受信部
２６  使用回数設定部
２７  有効時間設定部
３０  携帯電話機（情報端末）
３１  マイクロフォン（生体情報取得部）
３２  接続パスワード入力部
３３  利用者情報入力部
３５  ダイヤルボタン（接続パスワード入力部，利用者情報入力部）
４０  金融機関サーバ（サービス提供部）
４１  照合部
４２  管理部
４３  データ送受信部
４４  認証パスワード記憶部
５０  ネットワーク（電話回線）
【図１】
0003978322.tif 000002
【図２】
0003978322.tif 000003
【図３】
0003978322.tif 000004
【図４】
0003978322.tif 000005
【図５】
0003978322.tif 000006
【図６】
0003978322.tif 000007
【図７】
0003978322.tif 000008
【図８】
0003978322.tif 000009
【図９】
0003978322.tif 000010
【図１０】
0003978322.tif 000011
【図１１】
0003978322.tif 000012
【図１２】
0003978322.tif 000013
【図１３】
0003978322.tif 000014
【図１４】
0003978322.tif 000015
【図１５】
0003978322.tif 000016
【図１６】
0003978322.tif 000017
【図１７】
0003978322.tif 000018
【図１８】
0003978322.tif 000019
【図１９】
0003978322.tif 000020
【図２０】
0003978322.tif 000021
【図２１】
0003978322.tif 000022